【事件の表示】
　特願２００７−　１１０６９号「発光素子」拒絶査定不服審判事件〔平成２０年　７月３１日出願公開、特開２００８−１７７４５５号〕について、次のとおり審決する。
【結　論】
　本件審判の請求は、成り立たない。
【理　由】
１．手続の経緯及び本願発明
　本願は、平成１９年１月２２日の出願であって、平成２３年１１月２日付けで手続補正がなされ、同年１１月１６日付けで拒絶査定がなされ、これに対して平成２４年１月３０日に拒絶査定不服審判の請求がなされたものである。
　本願の特許請求の範囲の請求項１ないし３に係る発明は、平成２３年１１月２日付けの手続補正により補正された特許請求の範囲の請求項１ないし３に記載されたとおりのものと認められるところ、その請求項１に記載された発明（以下「本願発明」という。）は次のとおりのものである。
　
「陽極と陰極との間に少なくとも正孔輸送層と発光層、電子輸送層が存在し、電気エネルギーにより発光する素子であって、正孔輸送層は電子受容性ドーパント材料を含む２種以上の化合物を有する層を含有し、電子受容性ドーパント材料が酸化物、または少なくともフッ素もしくはシアノ基を含有する有機材料であり、電子輸送層は少なくとも一般式（１）または一般式（２）で表される化合物を含有することを特徴とする発光素子。
【化１】
　
　
（Ｒ１〜Ｒ１４はそれぞれ同じでも異なっていてもよく、水素、アルキル基、シクロアルキル基、複素環基、アルケニル基、シクロアルケニル基、アルキニル基、アリール基、ヘテロアリール基、ハロゲン、シアノ基、シリル基、並びに隣接置換基との間に形成される環構造の中から選ばれる。Ｂ１、Ｂ２は単結合もしくは連結基を表し、連結基は二重結合、三重結合、置換もしくは無置換の多価芳香族炭化水素残基および置換もしくは無置換の多価芳香族複素環残基の少なくとも１種を有する基である。ｎは２である。）」
　
 ２．引用例
　これに対して、原査定の拒絶の理由に引用された国際公開第２００６／０２１９８２号（以下「引用例１」という。）、特開２００６−３０２８６４号公報（以下「引用例２」という。）、及び特開２００５−９３４２８号公報（以下「引用例３」という。）には、以下の技術事項が記載されている。（後述する引用発明の認定に関連する箇所に下線を付した。）
　
ａ．引用例１
記載事項ア．
「請求の範囲
［１］
一般式（１）で表される発光素子用材料。
［化２９］
　
　
（ここで、Ｒ
１
〜Ｒ
６
はそれぞれ同じでも異なっていてもよく、水素、アルキル基、およびアリール基の中から選ばれる。Ａはｎ価の芳香族炭化水素基である。Ｂはアルキル基またはアリール基である。Ｘは
窒素である。ｎは２以上６以下の自然数である。また、ｎ個のフェナントロリン骨格
を有する置換基はそれぞれ同一でも異なっていても良い。）
……（略）……
［７］
陽極と陰極の間に有機層が存在し、電気エネルギーにより発光する素子であって、該有機層が請求項１
記載の発光素子用材料を含む発光素子。
陽極と陰極の間に少なくとも電子輸送層が存在し、電気エネルギーにより発光する素子であって、該電子輸送層が請求項１
記載の発光素子用材料を含む請求項７記載の発光素子。
　
記載事項イ．
「［００１０］本発明の発光素子用材料を用いると、駆動電圧が低くかつ耐久性に優れた発光素子を提供することができる。」
　
記載事項ウ．
「［００５５］……（略）……本発明の発光素子用材料は、これらの中で発光材料として用いることもできるが、電子輸送能が高いことから、電子輸送材料として好適に用いられる。」
　
記載事項エ．
「［００５６］
有機層の構成例としては、
正孔輸送層／発光層／電子輸送層
などの積層構成が挙げられる。
　
　記載事項ア．〜エ．の記載内容からして、引用例１には、
「陽極と陰極の間に正孔輸送層／発光層／電子輸送層が存在し、電気エネルギーにより発光する素子であって、該電子輸送層が、一般式（１）で表される発光素子用材料を含む発光素子。
［化２９］
　
　
（ここで、Ｒ１〜Ｒ６はそれぞれ同じでも異なっていてもよく、水素、アルキル基、およびアリール基の中から選ばれる。Ａはｎ価の芳香族炭化水素基である。Ｂはアルキル基またはアリール基である。Ｘは窒素である。ｎは２以上６以下の自然数である。また、ｎ個のフェナントロリン骨格を有する置換基はそれぞれ同一でも異なっていても良い。）」
の発明（以下「引用発明」という。）が記載されているといえる。
　
ｂ．引用例２
記載事項オ．
「【００７８】
　本発明の有機ＥＬ素子における正孔注入層又は正孔輸送層には、素子内の電荷のバランスを調整したり、駆動電圧を調節するために、電子受容性ドーパントを含有させることができる。正孔注入層又は正孔輸送層に導入しうる電子受容性ドーパントとしては、電子受容性で有機化合物を酸化する性質を有すれば、無機化合物でもよいし、有機化合物でもよい。
【００７９】
　具体的には、無機化合物の場合には、塩化第二鉄や塩化アルミニウム、塩化ガリウム、塩化インジウム、五塩化アンチモンなどのハロゲン化金属、五酸化バナジウム、三酸化モリブデンなどの金属酸化物などが挙げられる。
　有機化合物の場合は、置換基としてニトロ基、ハロゲン、シアノ基、トリフルオロメチル基などを有する化合物、キノン系化合物、酸無水物系化合物、フラーレンなどを好適に用いることができる。
　この他にも、特開平６−２１２１５３号、特開平１１−１１１４６３号、特開平１１−２５１０６７号、特開２０００−１９６１４０号、特開２０００−２８６０５４号、特開２０００−３１５５８０号、特開２００１−１０２１７５号、特開２００１−１６０４９３号、特開２００２−２５２０８５号、特開２００２−５６９８５号、特開２００３−１５７９８１号、特開２００３−２１７８６２号、特開２００３−２２９２７８号、特開２００４−３４２６１４号、特開２００５−７２０１２号、特開２００５−１６６６３７号、特開２００５−２０９６４３号等に記載の化合物を好適に用いることが出来る。」
　
ｃ．引用例３
記載事項カ．
「【請求項１】
　有機電界発光素子の正孔注入層及び正孔輸送層の中、少なくとも１層を形成する正孔注入・輸送性材料及び／又は電子受容性化合物と、
　前記正孔注入・輸送性材料及び／又は電子受容性化合物を溶解する溶媒と、を含有する有機電界発光素子用組成物において、
　前記溶媒中に含まれる、下記（１）及び（２）から選ばれる少なくとも１の、前記組成物中の濃度が１０重量％以上であることを特徴とする有機電界発光素子用組成物。
（１）エーテル系溶媒及び／又はエステル系溶媒。
（２）２５℃における水の溶解度が１重量％以下である溶媒。」
　
記載事項キ．
「【０１０７】
　次に、電子受容性化合物について説明する。本実施の形態が適用される有機電界素子用組成物に含有される電子受容性化合物としては、例えば、トリアリールホウ素化合物、ハロゲン化金属、ルイス酸、有機酸、アリールアミンとハロゲン化金属との塩、アリールアミンとルイス酸との塩よりなる群から選ばれる１種又は２種以上の化合物等が挙げられる。これらの電子受容性化合物は、正孔注入・輸送性材料と混合して用いられ、正孔注入・輸送性材料を酸化することにより正孔注入層の導電率を向上させることができる。
【０１０８】
　電子受容性化合物として、トリアリールホウ素化合物としては、下記一般式（６）に示したホウ素化合物が挙げられる。一般式（６）で表されるホウ素化合物は、ルイス酸であることが好ましい。また、ホウ素化合物の電子親和力は、通常、４ｅＶ以上、好ましく、５ｅＶ以上である。
【０１０９】
【化１６】
　
　
【０１１０】
　一般式（６）において、好ましくは、Ａｒ１〜Ａｒ３は、各々独立に、置換基を有することがあるフェニル基、ナフチル基、アントリル基、ビフェニル基等の５または６員環の単環、またはこれらが２〜３個縮合及び／または直接結合してなる芳香族炭化水素環基；或いは置換基を有することがあるチエニル基、ピリジル基、トリアジル基、ピラジル基、キノキサリル基等の５または６員環の単環、またはこれらが２〜３個縮合及び／または直接結合してなる芳香族複素環基を表す。
……（略）……
【０１１３】
　一般式（６）で表されるホウ素化合物の好ましい具体例（１〜３０）を以下に示すが、これらに限定するものではない。
【０１１４】
【化１７】
　
　
　
【０１１５】
【化１８】
　
　
【０１１６】
【化１９】
　
　
　　　　　　                                         　　　　　   」
　
３．対比 
　本願発明と引用発明を対比する。
（ａ）引用発明の「陽極と陰極の間に正孔輸送層／発光層／電子輸送層が存在し、電気エネルギーにより発光する素子」は、本願発明の「陽極と陰極との間に少なくとも正孔輸送層と発光層、電子輸送層が存在し、電気エネルギーにより発光する素子」及び「発光素子」に相当する。
　
（ｂ）引用発明の「電子輸送層」に「含」まれる「一般式（１）で表される発光素子用材料」
「［化２９］
　
　
（ここで、Ｒ１〜Ｒ６はそれぞれ同じでも異なっていてもよく、水素、アルキル基、およびアリール基の中から選ばれる。Ａはｎ価の芳香族炭化水素基である。Ｂはアルキル基またはアリール基である。Ｘは窒素である。ｎは２以上６以下の自然数である。また、ｎ個のフェナントロリン骨格を有する置換基はそれぞれ同一でも異なっていても良い。）」は、
本願発明の「電子輸送層」に「含有」される「一般式（１）」「で表される化合物」
「【化１】
　
　
（Ｒ１〜Ｒ１４はそれぞれ同じでも異なっていてもよく、水素、アルキル基、シクロアルキル基、複素環基、アルケニル基、シクロアルケニル基、アルキニル基、アリール基、ヘテロアリール基、ハロゲン、シアノ基、シリル基、並びに隣接置換基との間に形成される環構造の中から選ばれる。Ｂ１、Ｂ２は単結合もしくは連結基を表し、連結基は二重結合、三重結合、置換もしくは無置換の多価芳香族炭化水素残基および置換もしくは無置換の多価芳香族複素環残基の少なくとも１種を有する基である。ｎは２である。）」の概念に包含されることは明らかである。
 　 
　上記（ａ）、（ｂ）で述べたことからして、本願発明と引用発明は、
「陽極と陰極との間に少なくとも正孔輸送層と発光層、電子輸送層が存在し、電気エネルギーにより発光する素子であって、電子輸送層は一般式（１）で表される化合物を含有する発光素子。
【化１】
　
　
（Ｒ１〜Ｒ１４はそれぞれ同じでも異なっていてもよく、水素、アルキル基、シクロアルキル基、複素環基、アルケニル基、シクロアルケニル基、アルキニル基、アリール基、ヘテロアリール基、ハロゲン、シアノ基、シリル基、並びに隣接置換基との間に形成される環構造の中から選ばれる。Ｂ１、Ｂ２は単結合もしくは連結基を表し、連結基は二重結合、三重結合、置換もしくは無置換の多価芳香族炭化水素残基および置換もしくは無置換の多価芳香族複素環残基の少なくとも１種を有する基である。ｎは２である。）」
である点で一致し、次の点で相違する。
　
［相違点］
　正孔輸送層が、本願発明は、電子受容性ドーパント材料を含む２種以上の化合物を有する層を含有し、電子受容性ドーパント材料が酸化物、または少なくともフッ素もしくはシアノ基を含有する有機材料であるのに対して、引用発明は、上記電子受容性ドーパント材料を含むものではない点。
　
４．当審の判断 
　上記相違点について検討する。
　有機ＥＬ素子における正孔注入層又は正孔輸送層に、素子内の電荷のバランスを調整したり、駆動電圧を調節したり、導電率を向上させるために、酸化物、またはフッ素もしくはシアノ基を含有する有機材料からなる電子受容性ドーパント材料を含むようにすることは、例えば、引用例２（記載事項オ．参照）、引用例３（記載事項カ．、キ．参照）にも記載されているように、本願出願前における周知技術であり、素子内の電荷のバランスを調整したり、駆動電圧を低くするために、引用発明の正孔輸送層に、酸化物、またはフッ素もしくはシアノ基を含有する有機材料からなる電子受容性ドーパント材料を含むようにして上記相違点に係る本願発明の発明特定事項を得ることは、上記周知技術に基いて当業者であれば容易になし得ることである。
　
　また、本願発明の効果も、引用発明、及び上記周知技術から予測し得る範囲内のものであり、格別のものとは認め難い。
　
５．むすび
　以上のとおり、本願発明は、引用発明及び周知技術に基いて当業者が容易に発明をすることができたものであるから、特許法第２９条第２項の規定により特許を受けることができない。
　よって、結論のとおり審決する。